(57)【特許請求の範囲】
【請求項１】
複数枚の金属からなる薄板材の板間にインキ流路となる毛細管間隙を設けて積層し、前記薄板材に前記毛細管間隙と連通するインキ供給路を設け、前記積層した薄板材の最外部となる薄板材に、当該薄板材の先端部にインキ流路に連通するインキ流出溝を形成すると共に、前記薄板材の表面における前記インキ流出溝の近傍位置に当該薄板材の表裏を貫通する開口を設け、且つ当該開口の内側を前記積層した他の薄板材により塞いでインキ供給口を形成したプレートペン状ペン体を、インキを詰めたカートリッジまたはコンバータを内蔵した軸筒に挿着し、前記軸筒内のインキと異なる色のインキを前記インキ供給口に滴下することにより、前記最外部の薄板材を被筆記材に接触する筆記材として、前記軸筒内のインキ色と前記インキ供給口に注入したインキ色とのグラデーションとなる筆記を被筆記材へ行うことを特徴とする多色筆記用プレートペン。
【請求項２】
前記インキ供給口の開口周縁を起立させて起立壁を設けることにより、当該起立壁により前記インキ供給口にインキ受けを形成したことを特徴とする請求項１に記載の多色筆記用プレートペン。
【請求項３】
前記インキ供給口の開口周縁の先端側を起立させて起立壁を設けると共に、当該起立壁を前記開口方向に曲げて開口の先端側を覆う屋根状のインキ受けを形成したことを特徴とする請求項２に記載の多色筆記用プレートペン。
【請求項４】
前記インキ供給口の前記開口周縁の全部を外側に拡がるよう起立させた起立壁を設けることにより、ロート状のインキ受けを形成したことを特徴とする請求項２に記載の多色筆記用プレートペン。
【請求項５】
前記インキ供給口を、前記薄板材の最外部となる両方の薄板材の表面に当該薄板材の巾方向において互いにずらして形成したことを特徴とする請求項１ないし４のいずれか１項に記載された多色筆記用プレートペン。
【発明の詳細な説明】
【０００１】
【発明の属する技術分野】
本発明は、複数枚の金属からなる薄板材の板間にインキ流路となる毛細管間隙を設けて積層し、薄板材に毛細管間隙と連通するインキ供給路を設けたプレートペン状ペン体を備えたプレートペンに関する。
【０００２】
【従来の技術】
前記プレートペンとしては、特開平８−５２９７６号で開示された筆記具が知られている。このプレートペンはインキが安定供給でき、かつ、大きく異なる筆記幅を選択したり、筆記角度を自由に変えることのできるもので、カリグラフィペンとして非常に優れているものであった。しかし、これはあくまで単色での機能であって多色でグランデーション機能を出そうとすると、ペン体先端の接紙部にスポイトや他の筆記具のペン体を接触させて異なる色のインキを供給させるしかなく、これでは各色インキの必要量を調節することが難しいため、多色筆記の効果は薄く、グランデーションの自由度に欠けるものであった。
【０００３】
【発明が解決しようとする課題】
単色の着色料を不完全に混合しても筆で吸って紙等に書くまでに時間の経過とともに均一化され混合した一色になり、多色の筆記を行うことは困難であった。また必要に応じ必要量の着色料を瞬時に調整することが要求されている。本発明は必要に応じ必要量の多色インキを即時に調整し直ちに筆記できるプレートペンを提供する。
【０００４】
【課題を解決するための手段】
本発明は、
「１．複数枚の金属からなる薄板材の板間にインキ流路となる毛細管間隙を設けて積層し、前記薄板材に前記毛細管間隙と連通するインキ供給路を設け、前記積層した薄板材の最外部となる薄板材に、当該薄板材の先端部にインキ流路に連通するインキ流出溝を形成すると共に、前記薄板材の表面における前記インキ流出溝の近傍位置に当該薄板材の表裏を貫通する開口を設け、且つ当該開口の内側を前記積層した他の薄板材により塞いでインキ供給口を形成したプレートペン状ペン体を、インキを詰めたカートリッジまたはコンバータを内蔵した軸筒に挿着し、前記軸筒内のインキと異なる色のインキを前記インキ供給口に滴下することにより、前記最外部の薄板材を被筆記材に接触する筆記材として、前記軸筒内のインキ色と前記インキ供給口に注入したインキ色とのグラデーションとなる筆記を被筆記材へ行うことを特徴とする多色筆記用プレートペン。
２．前記インキ供給口の開口周縁を起立させて起立壁を設けることにより、当該起立壁により前記インキ供給口にインキ受けを形成したことを特徴とする１項に記載の多色筆記用プレートペン。
３．前記インキ供給口の開口周縁の先端側を起立させて起立壁を設けると共に、当該起立壁を前記開口方向に曲げて開口の先端側を覆う屋根状のインキ受けを形成したことを特徴とする２項に記載の多色筆記用プレートペン。
４．前記インキ供給口の前記開口周縁の全部を外側に拡がるよう起立させた起立壁を設けることにより、ロート状のインキ受けを形成したことを特徴とする２項に記載の多色筆記用プレートペン。
５．前記インキ供給口を、前記薄板材の最外部となる両方の薄板材の表面に当該薄板材の巾方向において互いにずらして形成したことを特徴とする１項ないし４項のいずれか１項に記載された多色筆記用プレートペン。」である。
【０００５】
【発明の実施の形態】
本発明は複数枚の金属からなる薄板材の板間にインキ流路となる毛細管間隙を設けて積層し、薄板材に毛細管間隙と連通するインキ供給路を設けたプレートペン状ペン体を備えたプレートペンであり、毛細管間隙はインキの流路となりプレートの先端が被筆記材に触れるとインキが流出して筆記を行える。ペン体を形成する薄板材は板間にインキ供給路を形成するために複数枚積層しなければならない。プレート状ペン体にインキを供給するには、インキを内蔵した軸筒から、軸筒に挿着したプレート状ペン体の毛細管間隙へインキを供給し、一方ペン体に設けたインキ供給口から他の色のインキを供給して、内部と外部から複数色のインキを供給する方式である。この方式は内部から多量のインキを供給することができ、連続した筆記中に色を次々と変えることができる特徴がある。軸筒にインキを内蔵するには、直詰め、カートリッジまたはコンバータが用いられる。コンバータはインキを繰り返し充填することができるが、直詰めはインキ内蔵量が大きい利点があり、カートリッジはインキの色を変えるのが便利で夫々一長一短がある。
【０００６】
プレート状ペン体を構成する金属からなる薄板材は、ステンレス合金、金合金、チタン合金、ニッケル合金、炭素鋼、軸受け鋼、アルミ合金、真鍮が用いられるが、この中で、耐擦過性、耐薬品性、インキとの相性、書き味、加工性、コストなどの面から、ステンレス合金が最も適している。
【０００７】
インキ供給路は全毛細管間隙を連通する小孔またはスリットであるが、ペン体の筆記先端に達しないことが必要である。ペン体の筆記先端に達するとインキ供給口に供給したインキが直接ペン体先端から流出するからである。インキ供給口は供給したインキがこぼれないためと、多量のインキを供給するためにインキ供給口の周縁を起立させてインキダムを形成することが好ましい。プレート状ペン体の被筆記材に接触する先端部には先端から軸筒方向に向かうスリットを配置してインキ流出溝を形成すると筆記が良好となる。
【０００８】
前述のプレートペンのインキ吸入口にインキを注入するインキ供給具としては、インキ収納部と注出部とからなるスポイトやカートリッジやコンバータとこれに差し込むノズルとからなる供給具が用いられる。尚、筆やスポンジ等にインキを含ませて供給することもできる。
【０００９】
次に本発明のプレートペンについて図面により説明する。図１は、本発明のプレートペンの一実施態様であって、１はプレートペンであり、２は軸筒であって、ペンは軸筒に挿着されている。３はインキ供給口であり、４はペンの先端に配置したインキ流出溝である。インキ供給口３からインキ供給具により供給されたインキはプレートペンの毛細管間隙５（図２参照）に吸収されるが、２色以上のインキを供給するとここで混合する。図２に示すようにペン体が２枚の薄板材１ａ，１ｂで形成されている場合はインキ供給口３がインキ供給路を兼ねているが、ペン体が３枚以上の薄板材で形成される場合は毛細管間隙が２以上となるので毛細管間隙を連通するインキ供給路を配置する。
【００１０】
図２は、図１のペン体をａ−ａ’線で切断した断面図であり、ペン体が２枚の薄板材１ａ，１ｂを積層して形成されており、毛細管間隙５が形成されていて、インキ供給口３が毛細管間隙５に連通していることがわかる。インキ供給口３は複数個設けてもよく、また位置はペン体の先端にかからなければ適宜の位置に設けることができる。
【００１１】
図３は、インキ供給口３を２枚の薄板材１ａ，１ｂとなる両方に設けた例である。ａ−ａ’線による断面図４から明らかなようにインキ供給口３は左右にずれて配置されている。このように、両面にインキ供給口３を設けた場合は、ペン体が３枚の薄板材で形成されている場合でもインキ供給路は必ずしも必要としない。図５は、インキ供給口３の周縁に放射状に溝６を設けたもので、インキ滴下時に滴下インキがインキ供給口３から外れてしまっても、その滴下インキは溝６でインキ供給口３に全て誘導されて注入でき、プレート表面にインキを残さないという効果が奏される。
【００１２】
図６は、インキ供給口３のペン先端側の半円部分の周縁を起立させて起立壁７を形成し、この起立壁７をインキ供給口３側に曲げて開口を半分覆う屋根状のインキ受け８を形成した例である。インキ受け８を設置すると供給時にインキがインキ供給口３以外にこぼれることを防ぐことができる。図７は図６をａ−ａ’線で切断した断面であり、図８は図６をペン体の軸線に沿って断面した断面図であって、インキ供給口３の周縁の起立壁７によりインキ受け８が形成されていることがわかる。図９は図６に示されるインキ受け８をペン体の両面に形成した例であり、図１０は図９のペン体の軸線に沿った断面図であるが、図３のようにインキ供給口３をペン体の両面で左右にずらすと、インキ受け８も左右にずれて形成される。
【００１３】
図１１は、インキ供給口の全周縁を起立させて起立壁７を形成し、外側に拡がるよう傾斜させてロート状のインキ受け８を形成したものであって、ロート状のインキ受け８はインキのコボレ防止効果が大きい。図１２は図１１のペン体を軸線に沿って切断した断面を示し、ロート状のインキ受け８がインキ供給口３に設けられていることがわかる。
【００１４】
図１３はインキ供給具であり、インキ収納部９とインキ注出部１０からなるスポイトである。図１４は差し込みノズル１１を有するカートリッジである。
【００１５】
【実施例】
実施例１
巾６ｍｍのステンレスの薄板材１ａ，１ｂを、毛細管間隙５を設けて積層し、先端部に切割りしたインキ流出溝４を形成し、薄板材１ａのインキ流出溝４の近傍の薄板中央部にインキ供給口３を配設した図１と図２に示されるペン体１を使用した。このペン体１を軸筒２に挿着し軸筒２にはカートリッジ（図１４参照）を設置してインキをペン体１に供給することができるプレートペンとした。このプレートペンのカートリッジに黄色のインキを充填しておくと（以下このインキを基のインキと言う）インキ供給口を設けないプレートペンと同様に昔通のコピー紙に筆記することができた。次に図１３で示すスポイトで赤いインキをインキ供給口３に１〜２滴、滴下すると筆跡のほぼ中央から徐々に赤が現れ数ｃｍの筆跡で赤に切り替わった。その後少しずつ黄色との混色の橙色になり筆跡４０ｃｍ程で黄色に戻った。インキ供給口３に供給するインキ量を微量にすると滴下したインキは筆跡の中央に強く現れ、端に行くほど基のインキの色が強く、筆跡の端部は基のインキの色が縁取る形状になる。インキ供給口３に供給するインキを２色とすると最後に滴下したインキの色と基のインキ色の混色が最初に発現し、次に最後のインキの色に代わり、次いで３色のインキの混色に変化し、次に最初に滴下したインキの色と基のインキの色の混色になり、最後に基のインキの色となる。プレートペンのカートリッジにインキを充填せず、基のインキがない場合はインキ供給口３に滴下したインキにより普通のコピー紙に筆記することができた。プレートペンのカートリッジにインキを充填せず、基のインキがない場合インキ供給口３に供給するインキを２色とすると、最初に滴下したインキの色が最初に発現するが直ちに筆跡の中央部から最後に滴下したインキの色が現れ始めるが、その後は最初に滴下したインキの色が縁取る形で筆記され、最後は２色の混色となる。インキ供給口３にインキを滴下してから筆記する間での時間を変化（直後と１分後）させてもグラディエーション模様に違いは現れれなかった。プレートペンのカートリッジに基のインキを充填し、１色のインキをインキ供給口３にインキを滴下しペンを立てエッジで筆記すると基のインキの色が最初に発現し、次いで徐々に混色となり、滴下したインキの色に近い混色となった後、基本のインキの色に近い混色となり、最後に基本のインキの色になる。プレートペンのカートリッジにインキを充填し、インキ供給口３に供給するインキを２色とし、ペンを立てエッジで筆記すると最初に基のインキの色が発現し、最初に滴下したインキの色と基のインキ色の混色となり、その後滴下した２色のインキの色が支配的な基のインキ色の混色となり、次いで最初に滴下したインキの色と基のインキ色の混色に戻り、最後に基本色のインキ色となる。この実施例からわかるように、外部からインキを供給する場合インキ供給口３が薄板材１ａの表面に配置されているので供給が容易である。インキの滴下位置が一定であるので滴加量に注意すればグラディエーションの再現性が高い。インキ供給口３に滴下したインキは筆跡の幅方向に対し左右対称に拡がるので希望するグラディエーションの表現が容易である。滴下するインキ量を調整することにより筆跡に縁取りすることができる。グラディエーション模様はインキの滴下から筆記するまでの時間によらず、一定である。このように外部からインキを供給する場合グラディエーション効果が終了すると滴下したインキはペン体からほぼ完全に亡くなり、混色は生じない。
【００１６】
実施例２
巾６ｍｍのステンレスの薄板材１ａ，１ｂのそれぞれ先端部にインキ流出溝４を形成し、両方の薄板材１ａ，１ｂのインキ流出溝４の近傍の薄板中央部から右側にインキ供給口３を配設し、インキ供給口３が重ならないように毛細管間隙５を設けて積層した図３と図４に示されるペン体１を使用した。このペン体１を軸筒２に挿着し、軸筒２にはカートリッジ（図１４参照）を設置してインキをペン体１に供給することができるプレートペンとした。この実施例のペンは外部からインキを供給する場合インキを供給するインキ供給口３が配置されているので供給が容易である。インキの滴下位置が一定であるので滴加量に注意すればグラディエーションの再現性が高い。ペンの両面の構造が同じであるので、製造、組み立ての管理が容易で、インキ供給面を意識しないで使用できる。片側のインキ供給口３に単色滴下補充の場合のグランデーション効果は、注入量が少ない場合、片側注入色、中央が基本色との混色、反対側が基本色となり、筆記を続ければ徐々に基本色に移行する。基本色との境界線の位置は注入量を調整することにより変化を持たせることができる。注入量が多い場合、筆記初めは注入色、その後基本色との混色になり、最後には基本色に戻る。両側のインキ供給口３に単色滴下補充の場合のグランデーション効果は、注入量が少ない場合、両側注入色、中央が基本色、注入色と基本色の境が混色となり、徐々に注入色の幅が狭くなると同時に混色の幅が広くなり、最後は基本色に戻る。基本色との境界線の幅、及び位置は両インキ供給口３への注入量を調整することにより変化を持たせることができる。注入量が多い場合は、筆記初めは注入色、その後基本色との混色になり、最後には基本色に戻る。両側２色滴下補充の場合のグランデーション効果は、注入量が少ない場合、それぞれ両側注入色、中央が基本色、注入色と基本色の境が混色となり、徐々に注入色の幅が狭くなると同時に混色の幅が広くなり、最後は基本色に戻る。基本色との境界線の幅、及び位置は両インキ吸入口３への注入量を調整することにより変化を持たせることができる。注入量が多い場合は、両側が注入色、中央が注入色の混色となり、徐々に基本色との混色になり、最後は基本色となる。注入色同士の境界位置は、注入量を調整することにより変化させることができる。また、仮に注入量が同量としても、注入する順番を替えることによりグランデーション効果に変化を持たせることができる。すなわち、注入量が多い場合は、両端が注入色、中央が注入色の混色になり、徐々に基本色との混色になるが、後から注入した色との混色度合いは低く、先に注入した色との混色の度合いが高い。２色をそれぞれのインキ供給口３に滴下補充し、エッジで筆記した場合、基本色の後、筆記面のエッジに近い方のインキ色と基本色との混色になり、その後２色の滴下補充した色同士が支配的な基本色との混色になり、後にエッジから遠い方に滴下したインキ色と基本色との混色になった後、基本色となる。どちらのエッジを使用して筆記しても同様のグランデーションが得られる。
【００１７】
【発明の効果】
本発明は多色インキを供給してペン体中で調合し、直ちに筆記することができる優れた効果を奏する。この特別の作用効果により多色のインキを必要とする、デザイン、イラストの技術分野で従来できなかった多色筆記を行うことができる。
【図面の簡単な説明】
【図１】本発明のプレートペンの１実施例の説明図である。
【図２】図１のプレートペンのａ−ａ’線断面図である。
【図３】本発明のプレートペンの他の実施例の説明図である。
【図４】図３のプレートペンのａ−ａ’線断面図である。
【図５】本発明のプレートペンの他の実施例の説明図である。
【図６】本発明のプレートペンの他の実施例の説明図である。
【図７】図６のプレートペンのａ−ａ’線断面図である。
【図８】図６のプレートペンの軸線に沿った断面図である。
【図９】本発明のプレートペンの他の実施例の説明図である。
【図１０】図９のプレートペンの軸線に沿った断面図である。
【図１１】本発明のプレートペンの他の実施例の説明図である。
【図１２】図１１のプレートペンの軸線に沿った断面図である。
【図１３】インキ供給具の説明図である。
【図１４】他のインキ供給具の説明図である。
【符号の説明】
１…プレートペン
１ａ，１ｂ…薄板材
２…軸筒
３…インキ供給口
４…インキ流出溝
５…毛細管間隙
６…切欠き
７…起立壁
８…インキ受け
９…インキ収納部
１０…インキ注出部
１１…差し込みノズル
【図１】
0004386502.tif 000002
【図２】
0004386502.tif 000003
【図３】
0004386502.tif 000004
【図４】
0004386502.tif 000005
【図５】
0004386502.tif 000006
【図６】
0004386502.tif 000007
【図７】
0004386502.tif 000008
【図８】
0004386502.tif 000009
【図９】
0004386502.tif 000010
【図１０】
0004386502.tif 000011
【図１１】
0004386502.tif 000012
【図１２】
0004386502.tif 000013
【図１３】
0004386502.tif 000014
【図１４】
0004386502.tif 000015